(57)【特許請求の範囲】
【請求項１】
脚フレームと、合成樹脂製の座枠部を備えてなる座とを少なくとも具備してなり、前記座が略水平状態となる使用状態と、脚フレームと座とを略平面的となるように折り畳む折り畳み状態とを取り得るように構成している折り畳み椅子において、
折り畳み状態で複数の椅子を積み重ねる場合に、隣接する一方の椅子側の座と、この座と対面する位置にある他方の椅子側の脚フレームとの間に互いに係り合って隣接する椅子同士間に生じる巾方向への相対移動を禁止する移動禁止機構を設けており、
前記移動禁止機構が、折り畳み状態で複数の椅子を積み重ねる場合に、隣接する一方の椅子側の座における座枠部の後端部側から上方に向かって突出した突出部と、この突出部と係り合って巾方向への相対移動を禁止される前記他方の椅子側の脚フレームとによって構成され、
前記突出部における座の奥行き方向に沿って延びる左右側面を、前記他方の椅子側の脚フレームと略突き当って隣接する椅子同士間に生じる巾方向への相対移動を禁止する第１の移動禁止面としていることを特徴とする折り畳み椅子。
【請求項２】
第１の移動禁止面が、前記脚フレームの外周形状に略沿う形状を有するものであることを特徴とする請求項１記載の折り畳み椅子。
【請求項３】
脚フレームが、その厚み方向に突出して設けた凸部を具備してなるとともに、前記突出部における座の巾方向に沿って延びる後面を、他方の椅子側の前記凸部と略突き当って当該他方の椅子側の脚フレームの奥行方向への相対移動を禁止する第２の移動禁止面としている請求項１又は２記載の折り畳み椅子。
【請求項４】
凸部が、脚フレーム本体の外側に設けた筒状部材であることを特徴とする請求項３記載の折り畳み椅子。
【発明の詳細な説明】
【０００１】
【発明の属する技術分野】
本発明は、オフィス等で好適に利用される折り畳み椅子に関するものである。
【０００２】
【従来の技術】
この種の折り畳み椅子としては、従来、前後脚フレームと座とを具備してなり、前記前脚フレーム・後脚フレーム・座の相対回転によって使用状態から前記前脚フレームと後脚フレームとが略面一をなす折り畳み状態に折り畳めるように構成されているものがある。前記前後脚フレームは、具体的には、金属製の丸パイプを略Ｕ字形に成形して構成されている。
【０００３】
【発明が解決しようとする課題】
このような構成の折り畳み椅子は、非使用時には、略平面的に折り畳んで積み重ねることができるため、折り畳みのできない他の椅子と比べて収納スペースが少なくて済むという利点はあるものの、金属製の丸パイプである前脚フレームや後脚フレームは、積み重ねられた場合に相互に接触していても滑り易く、多数積み重ねると位置ずれが生じて崩壊してしまう恐れがある。
【０００４】
本発明は、このような不具合を解消することを目的としている。
【０００５】
【課題を解決するための手段】
上記の問題点を解決するために、本発明は、脚フレームと、合成樹脂製の座枠部を備えてなる座とを少なくとも具備してなり、前記座が略水平状態となる使用状態と、脚フレームと座とを略平面的となるように折り畳む折り畳み状態とを取り得るように構成している折り畳み椅子において、折り畳み状態で複数の椅子を積み重ねる場合に、隣接する一方の椅子側の座と、この座と対面する位置にある他方の椅子側の脚フレームとの間に互いに係り合って隣接する椅子同士間に生じる巾方向への相対移動を禁止する移動禁止機構を設けており、前記移動禁止機構が、折り畳み状態で複数の椅子を積み重ねる場合に、隣接する一方の椅子側の座における座枠部の後端部側から上方に向かって突出した突出部と、この突出部と係り合って巾方向への相対移動を禁止される前記他方の椅子側の脚フレームとによって構成され、前記突出部における座の奥行き方向に沿って延びる左右側面を、前記他方の椅子側の脚フレームと略突き当って隣接する椅子同士間に生じる巾方向への相対移動を禁止する第１の移動禁止面としている。
【０００６】
このような構成のものであると、折り畳み状態で複数の椅子を積み重ねた場合に、一方の椅子側の座と他方の椅子側の脚フレームとが係り合って、隣接する椅子同士の相対移動を禁止することになり、多数の椅子を積み重ねても、位置ずれを生じることや、積み重ね状態が崩壊することを有効に防止することが可能となる。特に、この隣接する椅子同士間に生じる相対移動の防止を座と脚フレームの係り合いにより実現しており、比較的形状の自由度を持たせやすい座側に突出部を設けているので、比較的形状に変化を持たせ難い脚フレーム側には殆ど加工等を施さずに上記機能を実現することが可能となる。
【００１０】
がたつき等を生じることなく適正に隣接する椅子同士の相対移動を禁止することを可能とするには、第１の移動禁止面が、前記脚フレームの外周形状に略沿う形状を有するものであることが望ましい。
【００１１】
隣接する椅子同士の奥行方向への相対移動を禁止するには、脚フレームが、その厚み方向に突出して設けた凸部を具備してなるとともに、前記突出部における座の巾方向に沿って延びる後面を、他方の椅子側の前記凸部と略突き当って当該他方の椅子側の脚フレームの奥行方向への相対移動を禁止する第２の移動禁止面としていることが望ましい。
【００１２】
この場合の好適な実施の形態としては、凸部が、脚フレーム本体の外側に設けた筒状部材であるものが挙げられる。
【００１３】
【発明の実施の形態】
以下、本発明の一実施の形態について図面を参照して説明する。
【００１４】
本実施の形態の折り畳み椅子１は、図１に示すように、座４の後端部側を第一軸ｐを介して正逆方向に回転可能に支持する前脚フレーム２と、前記前脚フレーム２の内側に第三軸ｒを介して回転可能に取り付けてなるとともに座４の前端部側を第二軸ｑを介して正逆方向に回転可能に支持する後脚フレーム３とを具備してなるもの、すなわち、前脚フレーム２・後脚フレーム３・座４とを第一軸ｐ・第二軸ｑ・第三軸ｒを介してそれぞれ正逆方向に回転可能に連結したもので、図２中実線に示す座４に着座可能な使用状態Ｐから、前脚フレーム２の内側面と後脚フレーム３の外側面とが対向する位置で前脚フレーム２と後脚フレーム３とが略平面的に折り畳まれる図２中想像線に示す折り畳み状態Ｑに折り畳めるよう構成したものである。なお、この折り畳み椅子１は、折り畳み状態Ｑでは、図３に示すように、他の同一形状の折り畳み椅子１とともに、前面側を下として上下方向に積み上げることができるものである。
【００１５】
前脚フレーム２は、スチール製の丸パイプ部材を略Ｕ字形状に折り曲げ成形したもので、上端部に背もたれ６を有している。この前脚フレーム２は、具体的には、使用状態Ｐで床面Ｆに対して略平行に位置するベース杆２１と、床面Ｆに対して所定角度傾斜して起立する左右起立部２２とから構成される。また、前記ベース杆２１には、床面Ｆとの滑動を防止するための滑動防止部材２３が設けてある。
【００１６】
後脚フレーム３は、前記前脚フレーム２と同様に、スチール製の丸パイプ部材を略Ｕ字形状に折り曲げ成形したもので、前記前脚フレーム２の内側に側面視Ｘ字形状となるように交差させて第三軸ｒを介して前記前脚フレーム２に対して相対的に回転可能となるように連結している。この後脚フレーム３は、使用状態Ｐで床面Ｆに対して略平行に位置するベース杆３１と、床面Ｆに対して所定角度傾斜して起立する脚フレーム本体たる左右起立部３２とを具備してなる。また、前記ベース杆３１には、床面Ｆとの滑動を防止するための滑動防止部材３３が設けてある。なお、本実施の形態では、この後脚フレーム３は、左右起立部３２の外側に当該左右起立部３２に沿ってスライド移動可能となるように取り付けた略円筒状のスライド部３４を具備している。このスライド部３４は、前脚フレーム２に対して後脚フレーム３を回転可能に支持する前記第三軸ｒを具備してなり、前記左右起立部３２の外側にスライド移動可能に取り付けられることにより、使用状態Ｐと折り畳み状態Ｑとの間で座４、前後脚フレーム２、３を回転させる場合に生じる後脚フレーム３と座４の回転中心と前脚フレーム２と後脚フレーム３の回転中心との間の離間距離の変位を吸収するようにしているものである。
【００１７】
座４は、図１に示すように、中央に開口を有してなる平面視略ロ字形状の座枠部７と、この座枠部７の開口内に張った状態で取り付けてなるネット状の張地８とを具備してなるものであり、この張地８の張力を利用してクッション性を確保している。前記座枠部７は、インジェクション成形された合成樹脂製のものである。
【００１８】
このような構成のものにおいて、本実施の形態では、図４〜図７に示すように、折り畳み状態Ｑで複数の椅子１Ａ、１Ｂ…を積み重ねる場合に、隣接する一方の椅子１Ａ側の座４と、この座４と対面する位置にある他方の椅子１Ｂ側の脚フレームたる後脚フレーム３とを係り合わせることにより隣接する椅子１Ａ、１Ｂ同士間に生じる相対移動を禁止するようにしている。具体的には、隣接する一方の椅子１Ａ側の座４と、この座４と対面する位置にある他方の椅子１Ｂ側の後脚フレーム３との間に互いに係り合って隣接する椅子１Ａ、１Ｂ同士間に生じる巾方向及び奥行方向への相対移動を禁止する移動禁止機構９を設けている。なお、図４及び図５は、一方の椅子１Ａの座４と他方の椅子１Ｂの後脚フレーム３のみを示した図となっている。
【００１９】
移動禁止機構９は、折り畳み状態Ｑで複数の椅子１Ａ、１Ｂ…を積み重ねる場合に、隣接する一方の椅子１Ａ側の座４の座枠部７から他方の椅子１Ｂ側に向かって突出した突出部７１と、この突出部７１と係り合って巾方向及び奥行方向への相対移動を禁止される前記他方の椅子１Ｂ側の後脚フレーム３とから構成される。本実施の形態では、前記突出部７１と後脚フレーム３の左右起立部３２を突き当てることにより巾方向への相対移動を禁止するとともに、前記突出部７１と前記左右起立部３２からその厚み方向に突出して設けた凸部たる前記スライド部３４とを突き当てることにより奥行方向への相対移動を禁止するようにしている。
【００２０】
突出部７１は、前記座４の座枠部７の反使用端である後端部７ａ側から上方に向かって突出したものであり、座４の巾方向に沿って延びている。この突出部７１は、前記座４の左右端部に前記後脚フレーム３の左右起立部３２が介在し得るだけの領域を確保した状態で、前記座４の巾方向中央位置に設けてある。そして、この突出部７１は、座４の奥行方向に沿って延びる左右側面７１ａを他方の椅子１Ｂ側の後脚フレーム３の左右起立部３２と突き当って隣接する椅子１同士の左右巾方向への相対移動を禁止する第１の移動禁止面９１とするとともに、巾方向に沿って延びる後面７１ｂを他方の後脚フレーム３のスライド部３４と突き当って奥行方向への相対移動を禁止する第２の移動禁止面９２としている。
【００２１】
第１の移動禁止面９１は、図４及び図６に示すように、前記後脚フレーム３の外周形状に略沿うような部分円弧状のものであり、折り畳み状態Ｑで複数の椅子１Ａ、１Ｂ…を積み重ねた場合に、他方の椅子１Ｂ側の後脚フレーム３の左右起立部３２が突出部７１の左右に位置する前記第１の移動禁止面９１に突き当ることにより巾方向への移動を禁止される。本実施の形態では、左右起立部３２間に前記突出部７１が位置しているので、当該突出部７１の左右側面７１ａと左右起立部３２とを突き当てることにより左右両方向への移動が禁止されることになる。一方、図５及び図７に示すように、前記第２の移動禁止面９２には、前記スライド部３４の上面３４ａが突き当ることにより、図５中矢印で示す奥行方向への移動が禁止されることになる。なお、本実施の形態では、前記移動禁止機構９は、図５中矢印で示す奥行方向への移動しか禁止することができないため、積み重ね時に隣接する椅子１Ａ、１Ｂの背もたれ６同士や滑動防止部材２３同士を係り合わせることにより前記矢印とは逆方向への相対移動も禁止するようにしている。
【００２２】
このような構成のものであると、折り畳み状態Ｑで複数の椅子１を積み重ねた場合に、一方の椅子１Ａ側の座４と他方の椅子１Ｂ側の後脚フレーム３とが係り合って、隣接する椅子１Ａ、１Ｂ同士の相対移動を禁止することになり、多数の椅子１Ａ、１Ｂ…を積み重ねても、位置ずれを生じることや、積み重ね状態が崩壊することを有効に防止することが可能となる。特に、この隣接する椅子１Ａ、１Ｂ同士間に生じる相対移動の防止を座４と後脚フレーム３との係り合いにより実現しているので、本実施の形態のように、インジェクション成形で比較的形状の自由度を持たせやすい座４側に突出部７１を設ける等すれば、比較的形状に変化を持たせ難い脚フレーム３側には殆ど加工等を施さずに上記機能を実現することが可能となる。本実施の形態では、合成樹脂製の座枠部７とネット状の張地８とにより座４を構成しているので、比較的形状に変化を持たせやすい前記座枠部７に前記移動禁止機構９の構成要素の一部を設けて隣接する椅子１Ａ、１Ｂ間の移動を防止するとともに、前記ネット状の張地８で座４のクッション性を確保することが可能である。また、前記突出部７１は、積み重ね時の相対移動を防止するだけでなく、座４を肉厚として剛性を高めることにも寄与している。なお、図示しないが、前記座枠部７の下方には、平面視ロ字形で金属製の座受部が設けてあり、この座受部の後端側の前記突出部７１と対応する位置に設けた後壁体も、前記突出部７１とともに座４の剛性を高めることに寄与している。前記後壁体は、図示しないが、座の巾方向に略沿った面部を有する左右端部と、座の厚み方向に略沿った面部を有する中央部とを具備してなり、具体的には、薄板状部材の左右端部を構成する面部と中央部を構成する面部とが略直交するように面部同士を相対的にねじって形成しており、前記中央部を突出部７１内に収容されている。
【００２３】
移動禁止機構９が、折り畳み状態Ｑで複数の椅子１Ａ、１Ｂ…を積み重ねる場合に、隣接する一方の椅子１Ａ側の座４から他方の椅子１Ｂ側の後脚フレーム３に向かって突出した突出部７１と、この突出部７１と係り合って巾方向及び奥行方向への相対移動を禁止される前記他方の椅子１Ｂ側の後脚フレーム３とによって構成されるので、座４側に突出部７１を設けるという簡単な加工を施すだけで隣接する椅子１Ａ、１Ｂ同士間に生じる相対移動を禁止し得るようにすることが可能である。
【００２４】
突出部７１が、折り畳み状態Ｑで複数の椅子１Ａ、１Ｂ…を積み重ねる場合に、前記前脚フレーム３の左右起立部３２と略突き当って隣接する椅子１Ａ、１Ｂ同士間に生じる巾方向への相対移動を禁止する第１の移動禁止面９１を具備しているので、係合凹部を設ける等の複雑な加工を施すことなく、突出部７１の左右側面７１ａを利用して、椅子１Ａ、１Ｂ同士間に生じる巾方向への相対移動を有効に禁止することが可能である。特に、本実施の形態では、左右起立部３２間に、突出部７１を設け、その左右側面７１ａを第１の移動禁止面９１としているので、左右両方向への相対移動を有効に防止することが可能となる。
【００２５】
この第１の移動禁止面９１が、前記後脚フレーム３の左右起立部３２の外周形状に略沿う形状を有するものであるので、がたつき等を生じることなく適正に隣接する椅子１Ａ、１Ｂ同士の相対移動を禁止することが可能となる。
【００２６】
後脚フレーム３が、その厚み方向に突出するように前記左右起立部３２の外側に取り付けた円筒体状のスライド部３４を具備してなるとともに、前記突出部７１が、折り畳み状態Ｑで複数の椅子１Ａ、１B…を積み重ねる場合に、他方の椅子１Ｂ側の前記スライド部３４と略突き当たる位置に隣接する椅子１同士の奥行方向への相対移動を禁止する第２の移動禁止面９２を具備してなるので、隣接する椅子１Ａ、１Ｂ…同士の奥行方向への相対移動を禁止することが可能である。特に、本実施の形態では、使用状態Ｐと折り畳み状態Ｑとの間で座４、前後脚フレーム２、３を回転させる場合に生じる後脚フレーム３と座４の回転中心と前脚フレーム２と後脚フレーム３の回転中心との間の離間距離の変位を吸収するべく後脚フレーム３の左右起立部３２にスライド可能に設けたスライド部３４を利用しているので、部品点数の削減を図ることが可能である。
【００２７】
なお、本発明における構成は、以上説明したものに限定されないのは勿論であり、その他の構成も本発明の趣旨を逸脱しない範囲で種々変形が可能である。
【００２８】
【発明の効果】
本発明は、以上説明したような構成で実施され以下に記載されるような効果を奏する。
【００２９】
すなわち、本発明は、折り畳み状態で複数の椅子を積み重ねる場合に、隣接する一方の椅子側の座と、この座と対面する位置にある他方の椅子側の脚フレームとの間に係り合って隣接する椅子同士間に生じる巾方向への相対移動を禁止する移動禁止機構を設けており、前記移動禁止機構が、折り畳み状態で複数の椅子を積み重ねる場合に、隣接する一方の椅子側の座における座枠部の後端部側から上方に向かって突出した突出部と、この突出部と係り合って巾方向への相対移動を禁止される前記他方の椅子側の脚フレームとによって構成され、前記突出部における座の奥行き方向に沿って延びる左右側面を、前記他方の椅子側の脚フレームと略突き当たって隣接する椅子同士間に生じる巾方向への相対移動を禁止する第１の移動禁止面としているので、多数の椅子を積み重ねても、位置ずれを生じることや、積み重ね状態が崩壊することを有効に防止することが可能となる。特に、この隣接する椅子同士間に生じる相対移動の防止を座と脚フレームとの係り合いにより実現しており、比較的形状の自由度を持たせやすい座側に突出部を設けているので、比較的形状に変化を持たせ難い脚フレーム側には殆ど加工等を施さずに位置ずれを生じることや、積み重ね状態が崩壊することを有効に防止することが可能となる。
【００３３】
第１の移動禁止面が、前記脚フレームの外周形状に略沿う形状を有するものであるならば、がたつき等を生じることなく適正に隣接する椅子同士の相対移動を禁止することが可能となる。
【００３４】
脚フレームが、その厚み方向に突出して設けた凸部を具備してなるとともに、前記突出部における座の巾方向に沿って延びる後面を、他方の椅子側の前記凸部と略突き当って当該他方の椅子側の脚フレームの奥行方向への相対移動を禁止する第２の移動禁止面としているならば、隣接する椅子同士の奥行方向への相対移動を禁止することが可能である。
【００３５】
凸部が、脚フレーム本体の外側に設けた筒状部材であるならば、脚フレーム本体に筒状部材を取り付けるという簡単な構成で、隣接する椅子同士の奥行方向への相対移動を禁止することが可能となる。
【図面の簡単な説明】
【図１】本発明の一実施の形態を示す全体斜視図。
【図２】同椅子の使用状態及び折り畳み状態を示す側面図。
【図３】同折り畳み状態で複数の椅子を積み上げた状態を示す側面図。
【図４】同折り畳み状態で複数の椅子を積み重ねた状態を示す斜視図。
【図５】同折り畳み状態で複数の椅子を積み重ねた状態での要部を示す平面図。
【図６】同図５におけるＩ−Ｉ線断面図。
【図７】同図５におけるＩＩ−ＩＩ線断面図。
【符号の説明】
１…折り畳み椅子
２…第１の脚フレーム（前脚フレーム）
３…第２の脚フレーム（後脚フレーム）
３２…脚フレーム本体（左右起立部）
３４…凸部（スライド部）
４…座
７１…突出部
９…移動禁止機構
９１…第１の移動禁止面
９２…第２の移動禁止面
Ｐ…使用状態
Ｑ…折り畳み状態
【図１】
0004785240.tif 000002
【図２】
0004785240.tif 000003
【図３】
0004785240.tif 000004
【図４】
0004785240.tif 000005
【図５】
0004785240.tif 000006
【図６】
0004785240.tif 000007
【図７】
0004785240.tif 000008